(57)【要約】【課題】床のたわみを抑制し、床の遮音性能を向上させることができる簡易な構成の床構造及びユニット建物を提供する。【解決手段】骨組構造体を形成する床大梁１２に架け渡された複数の床小梁１５を備える。この床構造において、隣り合う床小梁１５間を接続するダンパー２０を有し、ダンパー２０は、床小梁１５の長手方向に沿って、複数設置され、ダンパー２０は、弾性変形可能な板状部材２１と、錘部材２２と、構造用部材からなる取付部材２３と、を有し、取付部材２１が、隣り合う床小梁１５間を接続する。【選択図】図５
2019078093.tif 000002
【特許請求の範囲】
【請求項１】
骨組構造体を形成する床大梁に架け渡された複数の床小梁を備える床構造であって、
隣り合う前記床小梁間を接続するダンパーを有し、
前記ダンパーは、前記床小梁の長手方向に沿って、複数設置され、
前記ダンパーは、弾性変形可能な板状部材と、錘部材と、構造用部材からなる取付部材と、を有し、
前記取付部材が、隣り合う前記床小梁間を接続する
ことを特徴とする床構造。
【請求項２】
前記取付部材は、前記床小梁の側面間に配置される
ことを特徴とする、請求項１に記載の床構造。
【請求項３】
請求項１又は２に記載の床構造を備える建物ユニットを備えるユニット建物。
【発明の詳細な説明】
【技術分野】
【０００１】
本発明は、建物の上階から下階へ伝わる衝撃音を低減させる床構造、及び、この床構造を備えるユニット建物に関するものである。
【背景技術】
【０００２】
従来、振動を吸収するダンパーを床小梁に設けた床構造が知られている（例えば、特許文献１参照）。
【先行技術文献】
【特許文献】
【０００３】
【特許文献１】特許第４８５４５５８号公報
【発明の概要】
【発明が解決しようとする課題】
【０００４】
しかしながら、特許文献１に記載の床構造は、床のたわみを利用してダンパーを振動させるものであり、床自体の剛性を高める構造になっていなかった。
【０００５】
そこで、本発明は、床のたわみを抑制し、床の遮音性能を向上させることができる簡易な構成の床構造及びユニット建物を提供することを目的としている。
【課題を解決するための手段】
【０００６】
前記目的を達成するために、本発明の床構造は、骨組構造体を形成する床大梁に架け渡された複数の床小梁を備える床構造であって、隣り合う前記床小梁間を接続するダンパーを有し、前記ダンパーは、前記床小梁の長手方向に沿って、複数設置され、前記ダンパーは、弾性変形可能な板状部材と、錘部材と、構造用部材からなる取付部材と、を有し、前記取付部材が、隣り合う前記床小梁間を接続することを特徴とする。
【０００７】
ここで、前記取付部材は、前記床小梁の側面間に配置されても良い。
【０００８】
本発明のユニット建物は、上記した本発明の床構造を備える建物ユニットを備えていることを特徴とする。
【発明の効果】
【０００９】
このように構成された本発明の床構造では、隣り合う床小梁間を接続するダンパーを有することで、床小梁間の剛性を向上させることができるので、簡易な構成で床のたわみを抑制し、床の振動を抑制するとともに、床に発生した振動を吸収することができる。そのため、床の遮音性能を向上させることができる。
【００１０】
また、本発明の床構造では、取付部材は、床小梁の側面間に配置されることで、取付部材を床小梁間に突っ張らせて配置することができる。そのため、床の剛性を向上させることができる。
【００１１】
上記した構成なので、上記した本発明の床構造の効果を奏するユニット建物とすることができる。
【図面の簡単な説明】
【００１２】
【図１】実施例１のユニット建物を示す斜視図である。
【図２】実施例１の建物ユニットを示す斜視図である。
【図３】実施例１のダンパーの構成を示す斜視図である。
【図４】実施例１のダンパーの取付構造を説明する分解斜視図である。
【図５】実施例１のダンパーの取付構造を説明する断面図である。
【図６】実施例１のダンパーの取付位置を説明する平面図である。
【図７】実施例２のダンパーの取付位置を説明する説明図である。
【図８】実施例３のダンパーの構成を示す斜視図である。
【図９】実施例３のダンパーの取付構造を説明する断面図である。
【発明を実施するための形態】
【００１３】
以下、本開示による床構造及びユニット建物を実現する実施形態を、図面に示す実施例１〜実施例３に基づいて説明する。
【実施例１】
【００１４】
まず、構成を説明する。
実施例１における床構造及びユニット建物は、工場で予め製造された建物ユニットを建築現場へ搬送して、建築現場で複数の建物ユニットを並べて組み立てることによって構築するユニット建物に適用される。
【００１５】
［ユニット建物の構成］
図１は、実施例１のユニット建物を示す斜視図である。以下、図１に基づいて、実施例１のユニット建物の構成を説明する。
【００１６】
ユニット建物１は、基礎２の上に下階の建物ユニット３が複数設置され、下階の建物ユニット３の上に上階の建物ユニット４が複数設置され、上階の建物ユニット４の上に屋根パネル５が設置された多階構造のものとなっている。
【００１７】
［建物ユニットの構成］
図２は、実施例１の建物ユニットを示す斜視図である。以下、図２に基づいて、実施例１の建物ユニットの構成を説明する。
【００１８】
この建物ユニット３，４は、４本の角形鋼管から成る柱１１と、柱１１の下端部間を連結した４本の溝形鋼から成る床大梁１２と、柱１１の上端部間を連結した４本の溝形鋼から成る天井大梁１３と、からなる骨組構造体を有する。
【００１９】
対向する長辺側の床大梁１２間には、複数本の床小梁１５が略平行に略等間隔で架け渡される。床小梁１５の上には、パーチクルボード等から成る床材１４が取り付けられて床１６が形成される。
【００２０】
対向する長辺側の天井大梁１３間には、複数本の天井野縁１７が略平行に略等間隔で架け渡され、これらの天井野縁１７の下に、石膏ボード等から成る天井材１８が取り付けられて天井１９が形成される。なお、天井野縁１７と天井材１８の上には、グラスウール等の吸音材６を設けても良い（図５参照）。また、天井野縁１７の上に、石膏ボード等から成る天井材１８Ａを取り付けても良い（図５参照）。
【００２１】
床小梁１５には、振動を吸収するダンパー２０が取り付けられている。ダンパー２０は、床１６からの振動を吸収する。
【００２２】
［ダンパーの構成］
図３は、実施例１のダンパーの構成を示す斜視図である。以下、図３に基づいて、実施例１のダンパーの構成を説明する。
【００２３】
ダンパー２０は、図３に示すように、板状部材２１と、錘部材２２と、取付部材２３と、から主に構成されている。
【００２４】
板状部材２１は、弾性変形可能な矩形状の板材であり、例えばパーチクルボードを使用することができる。板状部材２１は、例えば、幅３７０（ｍｍ）、長さ４００（ｍｍ）、厚み２０（ｍｍ）とする。
【００２５】
錘部材２２は、例えば、幅１００（ｍｍ）、長さ３７０（ｍｍ）のサイルシートを５枚積層したものから構成される。錘部材２２は、板状部材２１の長手方向両端部の上面に載置した状態で固定される。
【００２６】
取付部材２３は、例えばランバー等の構造用部材からなり、取付部材本体２３ａと、取付部２３ｂ，２３ｃと、を有する。
【００２７】
取付部材本体２３ａは、例えば、幅３８（ｍｍ）、長さ３７０（ｍｍ）の長尺矩形状に形成される。取付部２３ｂ，２３ｃは、例えば、幅３８（ｍｍ）、高さ１２５（ｍｍ）の長尺矩形状に形成され、取付部材本体２３ａの長手方向両端部から上方に延在する。取付部２３ｂ，２３ｃは、取付部材２３と錘部材２２が板状部材２１に取り付けられた状態で、錘部材２２から上方に突出する。
【００２８】
取付部材２３は、取付部材本体２３ａを板状部材２１の長手方向中央部の上面に載置した状態で固定される。すなわち、取付部材２３は、２つの錘部材２２の間に設けられる。
【００２９】
［ダンパーの取付構造］
図４は、実施例１のダンパーの取付構造を説明する分解斜視図である。図５は、実施例１のダンパーの取付構造を説明する断面図である。以下、図４及び図５に基づいて、実施例１のダンパーの構成を説明する。
【００３０】
ダンパー２０は、図４に示すように、隣り合う床小梁１５の間に設置される。取付部材２３の一方の取付部２３ｂは、ボルト、釘又は接着剤等によって、一方の床小梁１５の側面に固定される。取付部材２３の他方の取付部２３ｃは、ボルト、釘又は接着剤等によって、他方の床小梁１５の側面に固定される。すなわち、ダンパー２０は、取付部材２３によって、隣り合う床小梁１５間に接続され、床小梁１５と取付部材２３とが格子状を構成する。この際、取付部２３ｂ，２３ｃを、Ｌ字金具２５を介して、ボルトや釘等の締結具２６によって、床小梁１５に固定しても良い。
【００３１】
ダンパー２０の取付部材２３が床小梁１５に取り付けられた状態では、図５に示すように、ダンパー２０の錘部材２２と床材１４との間に間隙Ｓ１を有する。また、ダンパー２０の板状部材２１と吸音材６との間に間隙Ｓ２を有する。間隙Ｓ１，Ｓ２の幅は、板状部材２１の振幅を考慮して設けられる。
【００３２】
これにより、ダンパー２０の錘部材２２が、板状部材２１の弾性変形によって、上下に振動することで、制振効果や遮音効果が得られる。この際、間隙Ｓ１，Ｓ２を有することで、錘部材２２の振動を阻害しないようにすることができる。
【００３３】
ダンパー２０の下端は、床小梁１５の下端から、若干飛び出して配置される（例えば、３ｍｍ）。なお、ダンパー２０の下端は、床小梁１５の下端と同様の位置に配置されることが望ましい。これにより、間隙Ｓ２を十分に設けることができる。そのため、間隙Ｓ２に、例えば吸音材６等を設けるスペースを確保することができ、遮音効果を向上させることができる。
【００３４】
［ダンパーの取付位置］
図６は、実施例１のダンパーの取付位置を説明する平面図である。以下、図６に基づいて、実施例１のダンパーの取付位置を説明する。
【００３５】
ダンパー２０は、図６に示すように、床大梁１２の外周から、所定の距離（例えば、ダンパー１つ分の距離）を空けて、床大梁１２の内側に複数配置される。すなわち、ダンパー２０は、床大梁１２間の中央寄りに配置される。ダンパー２０は、床小梁１５の長手方向に例えば３つ配置される。すなわち、ダンパー２０は、床１６のたわみが大きい床大梁１２の内側に複数配置される。隣接するダンパー２０は、１０ｍｍ〜３０ｍｍ程の隙間ｄを有して設置する。
【００３６】
次に、実施例１の床構造及びユニット建物における作用効果を説明する。
【００３７】
実施例１の床構造及びユニット建物１では、骨組構造体を形成する床大梁１２に架け渡された複数の床小梁１５を備える床構造であって、隣り合う床小梁１５間を接続するダンパー２０を有する（図３〜図５）。
【００３８】
これにより、床小梁１５の剛性を向上させることができる。そのため、簡易な構成で床１６のたわみを抑制し、床１６の振動を抑制するとともに、床１６に発生した振動を吸収することができる。その結果、床１６の遮音性能を向上させることができる。
【００３９】
実施例１の床構造及びユニット建物１では、ダンパー２０は、弾性変形可能な板状部材２１と、錘部材２２と、構造用部材からなる取付部材２３と、を有し、取付部材２３が、隣り合う床小梁１５間を接続する（図３〜図５）。
【００４０】
これにより、取付部材２３を介して各床小梁１５に加わった力を分散することができる。そのため、床１６のたわみを少なくして、床１６の振動を抑制し、床１６の遮音性能を向上させることができる。
【００４１】
実施例１の床構造及びユニット建物１では、取付部材２３は、床小梁１５の側面間に配置される（図６）。
【００４２】
これにより、取付部材２３を床小梁１５間に突っ張らせて配置することができる。そのため、床の剛性を向上させることができる。
【実施例２】
【００４３】
まず、構成を説明する。
図７は、実施例２のダンパーの取付位置を説明する説明図である。なお、実施例１で説明した内容と同一乃至均等な部分の説明については、同一用語又は同一の符号を用いて説明する。
【００４４】
実施例２の床構造及びユニット建物は、ダンパーの取付位置が異なる点で、実施例１の床構造及びユニット建物と異なる。
【００４５】
ダンパー２０は、床小梁１５の長手方向に沿って、複数設けられる。ダンパー２０は、例えば、図７に示すように、床小梁１５を２等分した一次振動の腹位置（一次固有振動数：約６３Ｈｚ）や、床小梁１５を４等分した二次振動の腹位置（二次固有振動数:約１２５Ｈｚ）や、床小梁１５を８等分した三次振動の腹位置（三次固有振動数：約２５０Ｈｚ）などに対して設置される。
【００４６】
次に、実施例２の床構造及びユニット建物における作用効果を説明する。
【００４７】
実施例２の床構造及びユニット建物１は、ダンパー２０は、床小梁１５の長手方向に沿って、複数設置される（図７）。
【００４８】
これにより、ダンパー２０を床１６の振動モードの腹位置に設置することができる。そのため、振幅が大きい位置で床１６の振動をより効率的に抑制できる。その結果、床１６の遮音性能の向上が図れる。なお、実施例２のこの他の構成及び作用効果については、実施例１と略同様であるため、説明を省略する。
【実施例３】
【００４９】
まず、構成を説明する。
図８は、実施例３のダンパーの構成を示す斜視図である。図９は、実施例３のダンパーの取付構造を説明する断面図である。なお、実施例１で説明した内容と同一乃至均等な部分の説明については、同一用語又は同一の符号を用いて説明する。
【００５０】
実施例３の床構造及びユニット建物は、ダンパーの取付部材の構成が異なる点で、実施例１の床構造及びユニット建物と異なる。
【００５１】
ダンパー１２０の取付部材１２３は、例えばランバー等の構造用部材からなり、取付部材本体１２３ａを有する。
【００５２】
取付部材本体１２３ａは、図８に示すように、例えば、幅３８（ｍｍ）、長さ４１０（ｍｍ）の長尺矩形状に形成される。取付部材１２３は、板状部材２１の長手方向中央部の上面に載置した状態で固定される。すなわち、取付部材１２３は、２つの錘部材２２の間に設けられる。
【００５３】
ダンパー１２０は、図９に示すように、隣り合う床小梁１５の間に設置される。取付部材１２３の一方の端部は、ボルト、釘又は接着剤等によって、一方の床小梁１５の下面に固定される。取付部材１２３の他方の端部は、ボルト、釘又は接着剤等によって、他方の床小梁１５の下面に固定される。すなわち、ダンパー１２０は、取付部材１２３によって、隣り合う床小梁１５間に接続され、床小梁１５と取付部材１２３とが格子状を構成する。この際、取付部材１２３の端部を、Ｌ字金具２５を介して、ボルトや釘等の締結具２６によって、床小梁１５に固定しても良い。
【００５４】
次に、実施例２の床構造及びユニット建物における作用効果を説明する。
【００５５】
取付部材１２３が、隣り合う床小梁１５の下面間を接続する（図９）。
【００５６】
これにより、床小梁１５の剛性を向上させることができる。そのため、簡易な構成で床１６のたわみを抑制し、床１６の振動を抑制するとともに、床１６に発生した振動を吸収することができる。その結果、床１６の遮音性能を向上させることができる。なお、実施例３のこの他の構成及び作用効果については、実施例１と略同様であるため、説明を省略する。
【００５７】
以上、本開示の信号機認識装置を実施例１〜実施例３に基づき説明してきた。しかし、具体的な構成については、これらの実施例に限られるものではなく、特許請求の範囲の各請求項に係る発明の要旨を逸脱しない限り、各実施例の組み合わせ、設計の変更や追加等は許容される。
【００５８】
実施例１〜実施例３では、ダンパー２０について寸法の一例を示して説明した。しかし、ダンパーは、このサイズに限定されるものではない。
【００５９】
実施例１〜実施例３では、ダンパー２０をユニット建物に適用する例を示した。しかし、ダンパー２０としては、一般的な鉄骨構造の建物や、在来工法の建物、ツーバイフォー式の建物にも適用可能である。
【符号の説明】
【００６０】
１        ユニット建物
３，４    建物ユニット
１２      床大梁
１５      床小梁
２０      ダンパー
２１      板状部材
２２      錘部材
２３      取付部材
【図１】
2019078093.tif 000003
【図２】
2019078093.tif 000004
【図３】
2019078093.tif 000005
【図４】
2019078093.tif 000006
【図５】
2019078093.tif 000007
【図６】
2019078093.tif 000008
【図７】
2019078093.tif 000009
【図８】
2019078093.tif 000010
【図９】
2019078093.tif 000011